(57)【要約】【課題】サムネイル束の内でフォーカスしたいサムネイル画像の選択を行い易い表示方法を提供する。【解決手段】表示部１４０の第１の表示領域ＳＰに、複数のサムネイル画像が第１の方向に並ぶサムネイル束５０ａを表示し、第１の表示領域に対して、第１の方向と交差する第２の方向に配置された第２の表示領域ＭＰに、複数のサムネイル画像の内から選択されたメイン画像３０を表示し、サムネイル束の表示は、隣り合うサムネイル画像と一部が重なって表示される状態で、サムネイル画像が等間隔で並ぶ静的部分２１と、隣り合うサムネイル画像同士の間隔が、静的部分におけるサムネイル画像同士の間隔よりも広く配置される動的部分２０と、を有し、静的部分に位置するサムネイル画像を選択すると、選択されたサムネイル画像が動的部分に移動する。【選択図】図３Ｂ
2020067928.tif 000002
【特許請求の範囲】
【請求項１】
表示画像を表示部に表示させる表示方法であって、
前記表示部は、第１の表示領域、および第２の表示領域を備え、
前記第１の表示領域には、複数の画像が第１の方向に並ぶ画像束を表示し、
前記第１の表示領域に対して、前記第１の方向と交差する第２の方向に配置された前記第２の表示領域には、複数の前記画像の内から選択されたメイン画像を表示し、
前記画像束の表示は、
隣り合う前記画像と一部が重なって表示される状態で、前記画像が等間隔で並ぶ静的部分と、
隣り合う前記画像同士の間隔が、前記静的部分における前記画像同士の間隔よりも広く配置される動的部分と、を有し、
前記静的部分に位置する前記画像を選択すると、選択された前記画像が前記動的部分に移動する、
表示方法。
【請求項２】
複数の前記画像は、
第１の仮想軸上に配置され、前記第１の仮想軸と交差するそれぞれの第２の仮想軸を中心にして回転し、さらに前記第１の仮想軸を中心にして回転して表示される、
請求項１に記載の表示方法。
【請求項３】
前記動的部分に移動した前記画像は、
見開き状態で表示する、
請求項１または請求項２に記載の表示方法。
【請求項４】
第２の表示領域に表示されている前記メイン画像に相当する、前記画像束の内の前記画像は、
見開き状態で表示する、
請求項１または請求項２に記載の表示方法。
【請求項５】
前記動的部分は、前記画像の選択によって中央部が移動し、
前記メイン画像、および前記見開き状態への移動は、前記画像の選択よりも後刻の第２の選択によって実行する、
請求項３または請求項４に記載の表示方法。
【請求項６】
前記画像束に含まれる複数の前記画像の内で、予め前記第２の方向に位置を移動した第１の画像を有し、
前記静的部分に位置する前記画像の内で第２の画像を選択した場合、選択位置近傍の前記第１の画像を、前記動的部分の前記第１の方向の中央部分に移動させるとともに、前記第２の画像を前記動的部分に移動する、
請求項１ないし請求項５のいずれか一項に記載の表示方法。
【請求項７】
前記画像束に含まれる複数の前記画像の内で、予め前記第２の方向に位置を移動した第１の画像を有し、
前記第１の画像を選択した場合、前記第１の画像は、元の位置に戻るとともに、前記第１の画像に相当する前記メイン画像を、前記第２の表示領域に表示する、
請求項１ないし請求項５のいずれか一項に記載の表示方法。
【請求項８】
前記画像束に含まれる複数の前記画像の内で、予め前記第２の方向に位置を移動した第１の画像を有し、
前記メイン画像を選択した場合、前記第１の画像は、元の位置に戻る、
請求項１ないし請求項５のいずれか一項に記載の表示方法。
【請求項９】
前記第２の表示領域に表示されている前記メイン画像に加えて、
参照する他の画像を前記画像束の内から選択し、前記第２の表示領域に参照画像として表示する、
請求項１ないし請求項５のいずれか一項に記載の表示方法。
【請求項１０】
前記参照画像に相当する、前記画像束の内の前記画像には、識別マークを表示する、
請求項９に記載の表示方法。
【請求項１１】
第１の表示領域、および第２の表示領域を有し、表示画像を表示する表示部と、
第１の仮想軸上に配置され、前記第１の仮想軸と交差する第２の仮想軸を中心にして回転し、更に前記第１の仮想軸を中心に回転して表示される複数の画像を生成するサムネイル画像生成部と、
隣り合う前記画像と一部が重なる状態で、前記画像が等間隔で並ぶ静的部分と、隣り合う前記画像同士の間隔が、前記静的部分における前記画像同士の間隔よりも広く配置される動的部分とを有し、前記画像を第１の方向に並べた画像束を生成する表示画像生成部と、
前記第１の表示領域に、前記画像束を表示し、前記第１の表示領域に対して、前記第１の方向と交差する第２の方向に配置された前記第２の表示領域に、複数の前記画像の内から選択されたメイン画像を表示し、前記静的部分に位置する前記画像が選択された場合、選択された前記画像を前記動的部分に移動して表示する制御部と、を備えている、
表示装置。
【発明の詳細な説明】
【技術分野】
【０００１】
本発明は、表示方法、および表示装置に関する。
【背景技術】
【０００２】
従来、複数のフォルダーや収納されている複数の画像を表示する表示方法として、例えば特許文献１には、隣り合う画像と一部が重なる状態で、複数の画像が等間隔で並ぶ集合体である画像群と、フォーカスしたいページとを表示部に表示する方法が開示されている。この方法では、ユーザーが該画像群に含まれている画像の内で、フォーカスしたいページを選択することによって、画像群が表示されている領域外の表示領域にフォーカスしたいページが拡大表示される。
【先行技術文献】
【特許文献】
【０００３】
【特許文献１】特開２０１１−２２１５８６号公報
【発明の概要】
【発明が解決しようとする課題】
【０００４】
しかしながら、特許文献１の方法では、画像群の内でフォーカスしたい画像をユーザーが選択するとき、画像群が、隣り合う画像と一部が重なる状態で、複数の画像が等間隔で並ぶ集合体であるため、それぞれの画像の内容を判読し難く、選択のための検索が困難であるという課題を有していた。
【課題を解決するための手段】
【０００５】
本願の表示方法は、表示画像を表示部に表示させる表示方法であって、前記表示部は、第１の表示領域、および第２の表示領域を備え、前記第１の表示領域には、複数の画像が第１の方向に並ぶ画像束を表示し、前記第１の表示領域に対して、前記第１の方向と交差する第２の方向に配置された前記第２の表示領域には、複数の前記画像の内から選択されたメイン画像を表示し、前記画像束の表示は、隣り合う前記画像と一部が重なって表示される状態で、前記画像が等間隔で並ぶ静的部分と、隣り合う前記画像同士の間隔が、前記静的部分における前記画像同士の間隔よりも広く配置される動的部分と、を有し、前記静的部分に位置する前記画像を選択すると、選択された前記画像が前記動的部分に移動する。
【０００６】
上述の表示方法において、複数の前記画像は、第１の仮想軸上に配置され、前記第１の仮想軸と交差するそれぞれの第２の仮想軸を中心にして回転し、さらに前記第１の仮想軸を中心にして回転して表示されることとしてもよい。
【０００７】
上述の表示方法において、前記動的部分に移動した前記画像は、見開き状態で表示することとしてもよい。
【０００８】
上述の表示方法において、第２の表示領域に表示されている前記メイン画像に相当する、前記画像束の内の前記画像は、見開き状態で表示することとしてもよい。
【０００９】
上述の表示方法において、前記動的部分は、前記画像の選択によって中央部が移動し、前記メイン画像、および前記見開き状態への移動は、前記画像の選択よりも後刻の第２の選択によって実行することとしてもよい。
【００１０】
上述の表示方法において、前記画像束に含まれる複数の前記画像の内で、予め前記第２の方向に位置を移動した第１の画像を有し、前記静的部分に位置する前記画像の内で第２の画像を選択した場合、選択位置近傍の前記第１の画像を、前記動的部分の前記第１の方向の中央部分に移動させるとともに、前記第２の画像を前記動的部分に移動することとしてもよい。
【００１１】
上述の表示方法において、前記画像束に含まれる複数の前記画像の内で、予め前記第２の方向に位置を移動した第１の画像を有し、前記第１の画像を選択した場合、前記第１の画像は、元の位置に戻るとともに、前記第１の画像に相当する前記メイン画像を、前記第２の表示領域に表示することとしてもよい。
【００１２】
上述の表示方法において、前記画像束に含まれる複数の前記画像の内で、予め前記第２の方向に位置を移動した第１の画像を有し、前記メイン画像を選択した場合、前記第１の画像は、元の位置に戻ることとしてもよい。
【００１３】
上述の表示方法において、前記第２の表示領域に表示されている前記メイン画像に加えて、参照する他の画像を前記画像束の内から選択し、前記第２の表示領域に参照画像として表示することとしてもよい。
【００１４】
上述の表示方法において、前記参照画像に相当する、前記画像束の内の前記画像には、識別マークを表示することとしてもよい。
【００１５】
本願の表示装置は、第１の表示領域、および第２の表示領域を有し、表示画像を表示する表示部と、第１の仮想軸上に配置され、前記第１の仮想軸と交差する第２の仮想軸を中心にして回転し、更に前記第１の仮想軸を中心に回転して表示される複数の画像を生成するサムネイル画像生成部と、隣り合う前記画像と一部が重なる状態で、前記画像が等間隔で並ぶ静的部分と、隣り合う前記画像同士の間隔が、前記静的部分における前記画像同士の間隔よりも広く配置される動的部分とを有し、前記画像を第１の方向に並べた画像束を生成する表示画像生成部と、前記第１の表示領域に、前記画像束を表示し、前記第１の表示領域に対して、前記第１の方向と交差する第２の方向に配置された前記第２の表示領域に、複数の前記画像の内から選択されたメイン画像を表示し、前記静的部分に位置する前記画像が選択された場合、選択された前記画像を前記動的部分に移動して表示する制御部と、を備えている。
【図面の簡単な説明】
【００１６】
【図１】実施形態に係る表示装置の一例としてのスマートフォンの概略を示す外観斜視図。
【図２】表示装置のハードウェア構成を示すブロック図。
【図３Ａ】サムネイル画像を含むサムネイル束とメインページの表示例１において、サムネイル画像の移動前の状態を示す図。
【図３Ｂ】サムネイル画像を含むサムネイル束とメインページの表示例１において、メインページの移動後の状態を示す図。
【図３Ｃ】サムネイル画像を含むサムネイル束とメインページの表示例１において、サムネイル画像の移動後の状態を示す図。
【図３Ｄ】表示例１の変形例を示す図。
【図４】表示部への表示方法１を説明するフローチャート。
【図５Ａ】サムネイル画像を変形させる処理を説明するための図。
【図５Ｂ】サムネイル画像を変形させる処理を説明するための図。
【図５Ｃ】サムネイル画像を変形させる処理を説明するための図。
【図５Ｄ】サムネイル画像を変形させる処理を説明するための図。
【図５Ｅ】サムネイル画像を変形させる処理を説明するための図。
【図６Ａ】サムネイル画像を含むサムネイル束とメインページの表示例２において、サムネイル画像の移動前の状態を示す図。
【図６Ｂ】サムネイル画像を含むサムネイル束とメインページの表示例２において、サムネイル画像の移動後の状態を示す図。
【図７】表示部への表示方法２を説明するフローチャート。
【図８】サムネイル画像を含むサムネイル束とメインページの表示例３を示す図。
【図９】サムネイル画像を含むサムネイル束とメインページの表示例４を示す図。
【発明を実施するための形態】
【００１７】
以下、各図面に沿って、表示装置、および該表示装置への表示方法の実施形態について説明する。なお、以下で説明する実施形態は、特許請求の範囲に記載された本発明の内容を不当に限定するものではない。また、以下の実施形態で説明される構成の全てが、本発明の必須構成要件であるとは限らない。
【００１８】
［実施形態］
１．表示装置
先ず、図１、図２、図３Ａ、図３Ｂ、図３Ｃ、および図３Ｄを参照して、実施形態に係る表示装置の構成について説明する。図１は、実施形態に係る表示装置の一例としてのスマートフォンの概略を示す外観斜視図である。図２は、表示装置のハードウェア構成を示すブロック図である。なお、図２は、表示装置において電子書籍や電子写真の各ページおよびサムネイル画像およびサムネイル束の表示に係る機能の構成を示したブロック図である。図３Ａは、サムネイル画像を含むサムネイル束とメインページの表示例１において、サムネイル画像の移動前の状態を示す図である。図３Ｂは、サムネイル画像を含むサムネイル束とメインページの表示例１において、メインページの移動後の状態を示す図である。図３Ｃは、サムネイル画像を含むサムネイル束とメインページの表示例１において、メインページの移動後の状態を示す図である。図３Ｄは、表示例１の変形例を示す図である。
【００１９】
表示装置１００は、図１に示すように、電子書籍や電子写真などを閲覧するための装置であり、フォルダーやファイルに収納されている電子書籍や電子写真などの各ページの画像や表示したい画面の検索画面として、電子書籍や電子写真の各ページを縮小した画像としてのサムネイル画像を表示する。つまり、表示装置１００は、画像を表示可能な電子機器の一例である。なお、以下では、表示装置１００に表示する画像として、サムネイル画像５１，５２，５３，５４，５５，５６，５７など（図３Ａ参照）、およびサムネイル画像５１，５２，５３，５４，５５，５６，５７などを並べて表示する画像束としてサムネイル束５０（図３Ａ参照）を例示して説明する。また、本実施形態では、フォルダーやファイルを総称して、「ファイル」を用いて説明する。
【００２０】
また、以下の説明では、「第１の方向」、および「第２の方向」を用いているが、本明細書における「第１の方向」とは、表示部１４０の表示が判読可能な状態で、表示部１４０を構成する画面をユーザーに正対させたときの水平方向（横方向）に相当する。また、「第２の方向」とは、第１の方向と交差する方向であり、表示部１４０の表示が判読可能な状態で、表示部１４０を構成する画面をユーザーに正対させたときの垂直方向（縦方向）に相当する。また、表示装置１００や表示部１４０の説明に用いる各図面には、説明の便宜上、互いに直交する２軸を、Ｘ軸、およびＹ軸として設定している。即ち、Ｘ軸は、表示部１４０の水平方向（横方向）に沿った方向である「第１の方向」、Ｙ軸は、表示部１４０の垂直方向（縦方向）に沿った方向である「第２の方向」と一致している。また、説明の便宜上、Ｙ軸の正方向を「上」、または「上側」、Ｙ軸の負方向を「下」、または「下側」、Ｘ軸の正方向を「右」、または「右側」、Ｘ軸の負方向を「左」、または「左側」、ということがある。
【００２１】
表示装置１００は、例えばスマートフォンやタブレット型の端末装置などで構成することができる。表示装置１００は、他の情報処理装置（不図示）と、例えばＢｌｕｅｔｏｏｔｈ（登録商標）通信などを例示することができる近距離無線通信や有線通信（不図示）等によって接続されることができる。
【００２２】
本実施形態に係る表示装置１００は、図１に示すように、画像を表示する表示部１４０、およびユーザーに操作される操作ボタンなどの操作部１５０を備えているスマートフォンを例示している。ユーザーは、表示装置１００の液晶ディスプレイ等を用いた表示部１４０に表示された画像を視認することができる。
【００２３】
表示装置１００は、図２に示すように、ハードウェア構成として、サムネイル画像生成部１２０および表示画像生成部１３０を含む制御部１１０、表示部１４０、操作部１５０、および記憶部１６０を備えている。
【００２４】
制御部１１０は、サムネイル画像生成部１２０および表示画像生成部１３０を含む。制御部１１０は、ＣＰＵ（Central Processing Unit）、ＲＯＭ（Read Only Memory）、ＲＡＭ（Random Access Memory）等を備えたマイクロコンピューターであり、ＲＯＭに記憶されたプログラムに従って表示装置１００の各部を制御する。制御部１１０は、操作部１５０から送られた信号から操作内容を特定し、特定した内容に応じて、電子書籍のページを送る処理、ページを戻す処理、サムネイル画像やサムネイル束などの表示画像を表示部１４０に表示させる処理などを行う。
【００２５】
具体的に、制御部１１０は、記憶部１６０にアクセスし、電子書籍や電子写真などの各種データを記憶部１６０に書き込んだり読み出したりすることができる。また、制御部１１０は、サムネイル画像生成部１２０、および表示画像生成部１３０に対して、電子書籍や電子写真などの各ページに係る各種データや電子書籍や電子写真などの各種データを縮小したサムネイル画像やサムネイル束の画像を生成させたり、それらの表示画像データを生成させたりすることができる。
【００２６】
また、制御部１１０は、図３Ａに示すように、表示画像生成部１３０で生成された画像束としてのサムネイル束５０の画像を、表示部１４０の第２の方向（図中Ｙ軸）の下側部分に位置する第１の表示領域ＳＰに表示する。ここで、サムネイル束５０は、画像としての複数のサムネイル画像５１，５２，５３，５４，５５，５６，５７などが、第１の方向に並び表示されている画像束である。なお、本形態では、サムネイル束５０において、構成するサムネイル画像５１，５２，５３，５４，５５，５６，５７を示し、一つのファイルに含まれる複数のページに相応する複数のサムネイル画像の代表としている。
【００２７】
また、制御部１１０は、サムネイル束５０に含まれる複数のサムネイル画像５１，５２，５３，５４，５５，５６，５７などの内から選択されている選択ページ、あるいはこのファイルの代表ページなどとして選択されているメイン画像３０を、表示部１４０のサムネイル束５０の表示されている第１の表示領域ＳＰよりも上側部分に位置する第２の表示領域ＭＰに表示する。つまり、制御部１１０は、第１の表示領域ＳＰのサムネイル束５０と第２の表示領域ＭＰのメイン画像３０とを、第２の方向に沿って表示部１４０に並べて表示する。なお、サムネイル束５０とメイン画像３０とが、表示部１４０の内で重なって表示されてもよい。換言すれば、第１の表示領域ＳＰと第２の表示領域ＭＰとが重なってもよい。また、本実施形態の表示例１のメイン画像３０は、複数のサムネイル画像５１，５２，５３，５４，５５，５６，５７などから選択された第１のメイン画像３１と第２のメイン画像３２の二つのページを拡大して表示している。但し、メイン画像３０に表示されるページは二つに限らず幾つであってもよい。
【００２８】
制御部１１０は、表示部１４０に表示されている複数のサムネイル画像５１，５２，５３，５４，５５，５６，５７などが第１の方向に並んで構成されるサムネイル束５０を、静的部分２１と、動的部分２０とを有して構成する。ここで、静的部分２１は、隣り合う画像、例えばサムネイル画像５５とサムネイル画像５６との一部が重なって表示される状態で、サムネイル画像５４，５５，５６，５７が等間隔で並ぶ構成部分である。また、動的部分２０は、隣り合う画像同士の間隔、例えばサムネイル画像５１とサムネイル画像５２との間隔が、静的部分２１における画像同士、例えばサムネイル画像５５とサムネイル画像５６との間隔よりも広く配置される構成部分である。また、制御部１１０は、動的部分２０において、隣り合う画像同士の間隔を変化させたり、画像の向きを変化させたりすることができる。
【００２９】
制御部１１０は、図３Ａに示すように、ユーザーが、静的部分２１の内で、例えばタッチポイントＰを触れることによってサムネイル画像５５を選択した場合、図３Ｂに示すように、選択されたサムネイル画像５５ａ、およびサムネイル画像５５ａ近傍のサムネイル画像５６ａなどを動的部分２０に移動させ、隣り合う画像同士の間隔、サムネイル画像５５ａとサムネイル画像５６ａとの間隔を広くして配置する。言い換えれば、制御部１１０は、ユーザーがタッチポイントＰを触れることによってサムネイル画像５５を選択した場合、選択されたサムネイル画像５５ａ、およびサムネイル画像５５ａ近傍のサムネイル画像５６ａの表示部分に動的部分２０の中央部分を移動する。なお、タッチポイントＰへのタッチには、ドラッグアンドドロップやフリックなどの動作も含む。そして、制御部１１０は、さらにユーザーがタッチポイントＰをタッチするなどの第２の選択が行なわれた場合、図３Ｃに示すように、選択されたサムネイル画像５５ａと、隣りのサムネイル画像５６ａに相当する第１のメイン画像３１ａおよび第２のメイン画像３２ａを、表示部１４０の第２の表示領域ＭＰに拡大して表示する。このように、第１のメイン画像３１ａおよび第２のメイン画像３２ａへの表示の更新を、サムネイル画像５５の選択よりも後刻の第２の選択によって実行することにより、ユーザーが違和感を生じることなく、画像の状態の切り替えを行うことができる。
【００３０】
なお、制御部１１０は、ユーザーがタッチポイントＰをタッチするなどの第２の選択が行なわれた場合、図３Ｄに示すように、選択されたサムネイル画像５５（図３Ａ参照）を動的部分２０に移動させ、隣り合う画像同士であるサムネイル画像５５ｂとサムネイル画像５６ｂとを見開き状態で表示することができる。このように、サムネイル画像５５ｂとサムネイル画像５６ｂとを見開き状態とする表示の更新を、サムネイル画像５５の選択よりも後刻の第２の選択によって実行することにより、ユーザーが違和感を生じることなく、画像の状態の切り替えを行うことができる。そして、制御部１１０は、選択されたサムネイル画像５５ｂと、隣りのサムネイル画像５６ｂに相当する第１のメイン画像３１ｂおよび第２のメイン画像３２ｂを、表示部１４０の第２の表示領域ＭＰに表示する。このように、見開き状態の二つのサムネイル画像５５ｂおよびサムネイル画像５６ｂの表示により、フォーカスしたい画像の表示内容を、より判読し易くすることができる。
【００３１】
サムネイル画像生成部１２０は、記憶部１６０から各種データを読み出し、電子書籍や電子写真などの各種データを縮小したサムネイル画像を生成する。また、サムネイル画像生成部１２０は、図３Ａに示すユーザーが選択して開いているページの画像、もしくは代表ページの画像である、例えば第１のメイン画像３１および第２のメイン画像３２を含むメイン画像３０を生成する。
【００３２】
具体的に、サムネイル画像生成部１２０は、例えば表示部１４０を構成する画面の水平方向である第１の方向に沿った第１の仮想軸上に配置され、この第１の仮想軸と交差し、表示部１４０の画面の垂直方向である第２の方向に沿ったそれぞれの第２の仮想軸を中心にして回転され、さらに第１の仮想軸に対して回転した複数の画像として、図３Ａに示すサムネイル画像５１，５２，５３，５４，５５，５６，５７などを生成する。なお、このサムネイル画像５１，５２，５３，５４，５５，５６，５７などの生成方法については、後段にて図５Ａ〜図５Ｅを参照して詳細に説明する。
【００３３】
表示画像生成部１３０は、図３Ａに示すように、サムネイル画像生成部１２０によって生成された複数のページの各サムネイル画像５１，５２，５３，５４，５５，５６，５７などを、表示部１４０の水平方向である第１の方向（Ｘ軸）に並べて配置したサムネイル束５０の画像を生成する。つまり、表示画像生成部１３０は、一つのサムネイル束、例えばサムネイル束５０を、一つのファイルに含まれる各ページのサムネイル画像５１，５２，５３，５４，５５，５６，５７などを含み、ユーザーが俯瞰可能な状態で表示される構成とする。
【００３４】
また、表示画像生成部１３０は、サムネイル束５０を、静的部分２１と、動的部分２０とを有して構成する。静的部分２１は、隣り合うサムネイル画像同士の一部が重なって表示される状態で、隣り合うサムネイル画像同士が等間隔で並ぶ構成の領域である。また、動的部分２０は、隣り合うサムネイル画像同士の間隔が、静的部分２１におけるサムネイル画像同士の間隔よりも広く配置される構成であり、隣り合うサムネイル画像同士の間隔を変化させることができる。つまり、動的部分２０は、サムネイル画像が移動可能であったり、サムネイル画像の向きの移動が可能であったりする領域である。このように、サムネイル束５０が、隣り合うサムネイル画像同士の一部が重なって表示される状態で、隣り合うサムネイル画像同士が等間隔で並ぶ静的部分２１を有していることから、一つのサムネイル束５０に含まれる、例えばサムネイル画像５１，５２，５３，５４，５５，５６，５７などの数を多くすることができる。なお、サムネイル束５０の配置数は、一つに限らず、複数であってもよい。
【００３５】
表示部１４０は、制御部１１０の指示に基づいて、複数のサムネイル画像５１，５２，５３，５４，５５，５６，５７などを含むサムネイル束５０、およびサムネイル束５０に含まれる複数のサムネイル画像５１，５２，５３，５４，５５，５６，５７などの内から選択されている選択ページ、あるいはこのファイルの代表ページとして選択されているページを拡大表示したメイン画像３０などを表示画像として表示する。表示部１４０は、例えば液晶ディスプレイとタッチパッドのような位置入力装置を組み合わせたタッチパネルで構成することができる。
【００３６】
操作部１５０は、ユーザーに操作される操作ボタンやタッチパネルなどによって構成されている。操作部１５０は、操作ボタンを押し下げたり、タッチパネルをドラッグアンドドロップやフリックしたりするなどの操作によって生じる操作信号を、制御部１１０へ送ることができる。
【００３７】
記憶部１６０は、書籍データや電子写真データなどを表示部１４０に表示させる画像データとして記憶するメモリーである。なお、記憶部１６０は、ファイルとして、例えば複数の書籍データに係る複数のページを一つのまとまりとして収納しているファイルや複数の電子写真データを一つのまとまりとして収納しているファイルなどを記憶することができる。
【００３８】
本実施形態の表示装置１００によれば、表示部１４０を構成する画面の水平方向である第１の方向（Ｘ軸）に沿った第１の仮想軸上に配置され、この第１の仮想軸と交差する第２の方向（Ｙ軸）に沿った第２の仮想軸を中心に回転させ、さらに、第１の仮想軸を中心に回転させた仮想空間内において、ページを俯瞰した画像である複数の画像としてのサムネイル画像５１，５２，５３，５４，５５，５６，５７などを用いて表示する。表示装置１００は、このサムネイル画像５１，５２，５３，５４，５５，５６，５７などを第１の方向に並べて配置した画像束としてのサムネイル束５０を第１の表示領域ＳＰに表示する。また、表示装置１００は、サムネイル束５０に含まれる複数のサムネイル画像５１，５２，５３，５４，５５，５６，５７などの内から選択されている選択ページ、あるいはこのファイルの代表ページとして選択されているページなどに相応するメイン画像３０を、表示部１４０のサムネイル束５０の表示されている第１の表示領域ＳＰよりも上側部分に位置する第２の表示領域ＭＰに表示する。そして、ユーザーが、表示部１４０に表示されているサムネイル束５０の内で、静的部分２１に位置するサムネイル画像を選択しフォーカスしたい場合に、静的部分２１の選択したいサムネイル画像の位置に相当する、例えばタッチポイントＰを触れることによってサムネイル画像５５を選択すると、表示装置１００において、サムネイル画像５５が、静的部分２１における画像同士の間隔よりも広く配置される動的部分２０に移動される。この移動により、選択されたサムネイル画像５５ａおよびその近傍のサムネイル画像５６ａなどの視覚範囲が広くなることから、ユーザーは、サムネイル画像５５ａおよびその近傍のサムネイル画像５６ａなどの判読を行い易くなり、選択のための検索を行い易くすることができる。
【００３９】
また、表示装置１００は、表示部１４０の第２の表示領域ＭＰに、複数のサムネイル画像５１ａ，５２ａ，５３ａ，５４ａ，５５ａ，５６ａ，５７ａなどの内から選択されたページを拡大して表示する第１のメイン画像３１ａおよび第２のメイン画像３２ａを含むメイン画像３０が表示されていることから、ユーザーは、サムネイル束５０ａを構成するファイルの中身を認識し易くなる。
【００４０】
なお、制御部１１０は、第２の表示領域ＭＰに表示されているメイン画像３０に相当するサムネイル画像を、見開き状態で表示することとしてもよい。なお、メイン画像３０に相当するサムネイル画像は、第１の表示領域ＳＰに表示されているサムネイル束５０に配列されているものである。換言すれば、見開き状態で表示されているサムネイル画像近傍の他のサムネイル画像同士の間隔が、広がった状態で表示されることになる。このような表示により、サムネイル束５０の中でメイン画像３０に相当するサムネイル画像近傍に位置する他のサムネイル画像を見易くできることから、他のサムネイル画像の内容を判読し易くすることができる表示装置１００とすることができる。
【００４１】
２．表示方法
２．１．表示方法１
次に、図４を参照して表示装置１００における表示例１を適用する表示方法１について説明する。図４は、サムネイル画像の表示方法１を説明するフローチャートであり、表示装置１００で実行される処理の流れを示している。なお、表示例１は、上述の図３Ａおよび図３Ｂを参照して説明する。また、表示装置１００における構成部位に関しては、上述と同符号を付して説明する。
【００４２】
先ず、制御部１１０は、選択されたファイルのサムネイル画像５１，５２，５３，５４，５５，５６，５７などを第１の方向に配列したサムネイル束５０を表示部１４０に表示する（ステップＳ１０１）。このとき、制御部１１０は、例えばサムネイル画像５５とサムネイル画像５６との一部が重なって表示される状態で、サムネイル画像５４，５５，５６，５７が等間隔で並ぶ静的部分２１と、隣り合う画像同士の間隔、例えばサムネイル画像５１とサムネイル画像５２との間隔が、静的部分２１における画像同士、例えばサムネイル画像５５とサムネイル画像５６との間隔よりも広く配置される動的部分２０と、を備えるサムネイル束５０を表示する。
【００４３】
なお、画像としてのサムネイル画像５１，５２，５３，５４，５５，５６，５７などは、例えば表示部１４０を構成する画面の第１の方向に沿った第１の仮想軸上に配置され、第１の仮想軸と交差し、表示部１４０を構成する画面の第２の方向に沿ったそれぞれの第２の仮想軸を中心にして回転し、さらに第１の仮想軸を中心にして回転して表示されている画像である。このように、サムネイル画像５１，５２，５３，５４，５５，５６，５７などは、第１の仮想軸および第２の仮想軸を中心にして回転されることによって、表示を判読可能な状態で画面をユーザーに正対させたとき、複数のサムネイル画像５１，５２，５３，５４，５５，５６，５７などで構成されるサムネイル束５０を俯瞰できる状態に変形される。即ち、サムネイル束５０に含まれている複数のサムネイル画像５１，５２，５３，５４，５５，５６，５７などを斜め上方から斜視し、俯瞰したときと同様なページの見え方となるように、各ページのサムネイル画像５１，５２，５３，５４，５５，５６，５７などが変形されている。
【００４４】
ここで図５Ａ、図５Ｂ、図５Ｃ、図５Ｄ、および図５Ｅを参照して、サムネイル画像を変形させる処理について説明する。図５Ａ〜図５Ｅは、サムネイル画像を変形させる処理を説明するための図である。なお、以下、サムネイル画像を変形させる処理についての説明では、上述において付されていたサムネイル画像の符号（５１，５２，５３，５４，５５，５６，５７）を省略している。
【００４５】
サムネイル画像生成部１２０から供給される各サムネイル画像は、書籍や電子写真などの各ページを平面視した画像であり、図５Ｂに示すように、縦方向の長さをＬ、横方向の長さをＳとした画像１１ｂである。換言すれば、画像１１ｂは、縦方向の辺が表示部１４０の第２の方向に沿った縦方向と平行であり、横方向の辺が表示部１４０の第１の方向に沿った横方向と平行に構成されている。
【００４６】
サムネイル画像生成部１２０は、書籍や電子写真などの各ページを表す各サムネイル画像を変形した画像を生成する。具体的に、サムネイル画像生成部１２０は、各ページについて、図５Ａに示すように、ページ１１ａを仮想空間内の仮想水平面Ｎに設定された第１の仮想軸Ｑ上に立てて配置し、第１の仮想軸Ｑと交差するそれぞれの第２の仮想軸Ｍを中心にして、ページ１１ａの横方向が表示部１４０の横方向に平行な基準位置１１から回転角θで回転させる。さらに、サムネイル画像生成部１２０は、仮想空間内においてそれぞれの第２の仮想軸Ｍを中心にして回転されたページ１１ａを、第１の仮想軸Ｑを中心にして俯角φ（不図示）で回転させた画像を生成する。即ち、サムネイル画像生成部１２０は、仮想空間内において、第２の仮想軸Ｍを中心にして回転させたページ１１ａの上辺より上の視点から、ページ１１ａを俯角φ（不図示）で斜めに見下ろしている画像を生成する。換言すれば、各サムネイル画像を変形した画像は、仮想空間内においてページ１１ａの上辺より上の視点からページ１１ａを俯角φ（不図示）で斜視し、俯瞰している画像として生成される。なお、ページを回転させていない場合、ページの横方向が表示部１４０の横方向（第１の方向）に平行な状態であり、回転角θは０°である。また、俯角φは予め定められた角度となっている。また、第２の仮想軸Ｍは、ページの縦方向（第２の方向）の辺に沿って平行である構成に限定されるものではなく、ページの横方向の辺と交差する構成であってもよい。
【００４７】
具体的には、先ず、サムネイル画像生成部１２０は、各ページを正面から見た画像１１ｂ（図５Ｂ参照）に対して、図５Ｃに示すように、横幅を変化させないようにしつつ、縦方向の変形を加え、図５Ｂの画像１１ｂの右辺を左辺に対してＳ・ｓｉｎθ・ｔａｎφだけずらした画像１１ｃを生成する。次に、サムネイル画像生成部１２０は、図５Ｄに示すように、図５Ｃの画像１１ｃを、ｃｏｓθの倍率で横方向に縮小した画像１１ｄを生成する。この結果、画像１１ｄの横幅は、Ｓ・ｃｏｓθとなる。そして、サムネイル画像生成部１２０は、最後に図５Ｅに示すように、図５Ｄの画像１１ｄをｃｏｓφの倍率で縦方向に縮小した画像１１ｅを生成する。この結果、画像１１ｅの縦方向の寸法は、Ｌ・ｃｏｓφとなる。これにより、ページを第２の仮想軸Ｍを中心にして回転角θで回転させ、さらに、第１の仮想軸Ｑを中心に回転させた画像１１ｅが得られる。換言すれば、ページを第２の仮想軸Ｍを中心にして回転角θで回転させ、且つ、ページの上辺より上の視点からページを俯角φで見下ろした時の画像１１ｅが得られる。
【００４８】
なお、回転角θは、選択ページデータで特定される選択ページについては予め定められた回転角θ１にされ、選択ページの一つ前のページについては、予め定められた回転角−θ１にされる。また、選択ページ以外のページについては、選択ページからページ番号が離れるにつれて回転角θは徐々に大きな角度にされ、選択ページより後のページの回転角θは、本実施形態においては、θ１＜θ＜９０°の範囲にされ、選択ページより前のページの回転角θは、本実施形態においては、−θ１＞−θ＞−９０°の範囲にされる。
【００４９】
図４に戻り、次に制御部１１０は、サムネイル束５０の静的部分２１において、ユーザーが、例えば表示部１４０のタッチパネル（不図示）のタッチポイントＰ（図３Ａ参照）をタッチするなどによって選択されたサムネイル画像が有るか否かを判定する（ステップＳ１０２）。そして、制御部１１０は、タッチポイントＰなどによって選択されたサムネイル画像がある場合（ステップＳ１０２：Ｙｅｓ）、選択されたサムネイル画像、例えばサムネイル画像５５，５６を、動的部分２０に移動する（ステップＳ１０３）。そして、制御部１１０は、図３Ｂに示すように、サムネイル束５０ａの内において、移動したサムネイル画像５５ａとサムネイル画像５６ａとの間隔を広げて表示し、サムネイル画像５５ａとサムネイル画像５６ａとの重なりが少ない状態、もしくは重ならない状態で表示する。
【００５０】
なお、制御部１１０は、タッチポイントＰなどによって選択されたサムネイル画像がない場合（ステップＳ１０２：Ｎｏ）、タッチポイントＰなどによる画像の選択が有るまで、ステップＳ１０１の表示状態を継続する。なお、上述のタッチポイントＰへのタッチには、ドラッグアンドドロップやフリックなどの動作も含む。
【００５１】
次に、制御部１１０は、さらにユーザーがタッチポイントＰをタッチするなどの第２の選択が行なわれたか否かを判定する（ステップＳ１０４）。そして、制御部１１０は、さらにユーザーがタッチポイントＰをタッチするなどの第２の選択が行なわれた場合（ステップＳ１０４：Ｙｅｓ）、図３Ｃに示すように、動的部分２０に移動したサムネイル画像５５ａ，５６ａに相当するページを拡大した表示画像である、第１のメイン画像３１ａおよび第２のメイン画像３２ａを含むメイン画像３０を、表示部１４０の第２の表示領域ＭＰに表示する（ステップＳ１０５）。このように、第１のメイン画像３１ａおよび第２のメイン画像３２ａを含むメイン画像３０への表示の更新を、サムネイル画像の選択よりも後刻の第２の選択によって実行することにより、ユーザーが違和感を生じることなく、画像の状態の切り替えを行うことができる。なお、制御部１１０は、ユーザーがタッチポイントＰをタッチするなどの第２の選択が行なわれていない場合（ステップＳ１０４：Ｎｏ）、一連の手順を終了する。
【００５２】
次に、制御部１１０は、第２の選択のタイミングで、図３Ｄに示すように、移動したサムネイル画像５５，５６の表示の向きを変え、見開き状態のサムネイル画像５５ｂ，５６ｂとして表示することもできる（ステップＳ１０６）。これらにより、フォーカスしたい画像である選択されたサムネイル画像５５，５６の表示内容を、見開き状態のサムネイル画像５５ｂ，５６ｂ、およびサムネイル画像５１ｂ，５２ｂ，５５ｂ，５６ｂ，５７ｂなどによって構成されたサムネイル束５０ｂによって、より判読し易くすることができる。
【００５３】
なお、サムネイル画像５５，５６の移動や移動したサムネイル画像５５ａ，５６ａの間隔を広げる、もしくは見開き状態にするなどのタイミングは、メイン画像３０の移動時に実行することができる。換言すればメイン画像３０を更新して表示する切り換えのタイミングに合わせて実行することとしてもよい。このようなタイミングで、サムネイル画像５５，５６の移動や移動したサムネイル画像５５ａ，５６ａの間隔を広げる、もしくは見開き状態にするなどを実行することにより、サムネイル画像５５，５６の表示態様の更新を確実に行うことができる。
【００５４】
以上の手順で、表示例１を表示部１４０に表示する表示方法１の一連の処理を終了する。このような表示方法１では、表示部１４０に表示されているサムネイル束５０の内で、静的部分２１に位置するサムネイル画像の内の、例えばサムネイル画像５５をフォーカスしたい場合、制御部１１０は、ユーザーがそのサムネイル画像５５を選択したり、ドラッグアンドドロップやフリックなどの動作を行ったりすると、選択されたサムネイル画像５５を静的部分２１における画像同士の間隔よりも広く配置される動的部分２０に移動したサムネイル束５０ａを表示する。この移動により、選択されたサムネイル画像５５およびその近傍のサムネイル画像５６などの視覚範囲が広くなることから、ユーザーは、サムネイル画像５５，５６などの判読を行い易くなり、選択のための検索を行い易くすることができる。
【００５５】
また、表示方法１では、表示部１４０の第２の表示領域ＭＰに、複数のサムネイル画像５１，５２，５３，５４，５５，５６，５７などの内から選択されたメイン画像３０が表示されていることから、ユーザーは、サムネイル束５０の中身を認識し易くすることができる。
【００５６】
２．２．表示方法２
次に、図６Ａ、図６Ｂ、および図７を参照して表示装置１００における表示例２を適用した表示方法２について説明する。図６Ａは、サムネイル画像を含むサムネイル束とメインページの表示例２において、サムネイル画像の移動前の状態を示す図である。図６Ｂは、サムネイル画像を含むサムネイル束とメインページの表示例２において、サムネイル画像の移動後の状態を示す図である。図７は、表示部への表示方法２を説明するフローチャートである。なお、表示方法２、および表示例２の説明においても、表示装置１００における構成部位に関しては、上述と同符号を付して説明する。
【００５７】
図６Ａ、および図７に示すように、先ず、制御部１１０は、表示方法１と同様に、選択されたファイルのサムネイル画像５１，５２，５３，５４，５５，５７，６０などを第１の方向に配列したサムネイル束５０ｃを、表示部１４０に表示する（ステップＳ２０１）。このとき、制御部１１０は、例えばサムネイル画像５５とサムネイル画像６０との一部が重なって表示される状態で、サムネイル画像５４，６０，５５，５７などが等間隔で並ぶ静的部分２１と、隣り合う画像同士の間隔、例えばサムネイル画像５１とサムネイル画像５２との間隔が、静的部分２１における画像同士、例えばサムネイル画像５５とサムネイル画像６０との間隔よりも広く配置される動的部分２０と、を備えるサムネイル束５０ｃを表示する。なお、画像としてのサムネイル画像５４，６０，５５，５７などの構成については、表示方法１と同様であるので、ここでの説明は省略する。
【００５８】
次に、制御部１１０は、サムネイル束５０ｃの静的部分２１において、タッチポイントＰ２などに触れるなどによるサムネイル画像の選択が有るか否かを判定する（ステップＳ２０２）。本例では、第２の画像としてサムネイル画像５５が選択された場合を想定している。そして、制御部１１０は、サムネイル画像の選択が有る場合（ステップＳ２０２：Ｙｅｓ）、次のステップＳ２０３に進む。なお、制御部１１０は、サムネイル画像の選択が無い場合（ステップＳ２０２：Ｎｏ）、サムネイル束５０ｃの表示を継続する。
【００５９】
サムネイル画像の選択が有る場合（ステップＳ２０２：Ｙｅｓ）、制御部１１０は、サムネイル束５０ｃの静的部分２１に、予め第２の方向、本例では上方向に位置を移動した画像である第１の画像があるか否かを判定する（ステップＳ２０３）。ここで、第１の画像としてのサムネイル画像６０は、ユーザーが予め選択したページである場合、もしくは既読したページに対応するサムネイル画像である場合などに対応し、予め第２の方向に表示位置を移動したものであり、本例ではサムネイル画像６０が相当する。以下、第１の画像としてサムネイル画像６０を用いて説明する。なお、第１の画像としてのサムネイル画像６０がない場合（ステップＳ２０３：Ｎｏ）、制御部１１０は、ステップＳ２０２において選択されたサムネイル画像５５を、サムネイル束５０ｃにおいて動的部分２０の第１の方向の中央部分に移動し（ステップＳ２０８）、一連の手順を終了する。
【００６０】
そして、制御部１１０は、第１の画像としてのサムネイル画像６０が有る場合（ステップＳ２０３：Ｙｅｓ）、図６Ｂに示すように、サムネイル画像６０を、サムネイル束５０ｄにおいて動的部分２０の第１の方向の中央部分に移動し（ステップＳ２０４）、サムネイル画像６０ｄとする。このとき、制御部１１０は、図６Ａに示すサムネイル画像６０とともに、サムネイル画像５５を動的部分２０に移動し、図６Ｂに示すサムネイル画像５５ｄとして表示する。
【００６１】
次に、制御部１１０は、さらにユーザーがタッチポイントＰをタッチするなどの第２の選択が行なわれたか否かを判定する（ステップＳ２０５）。そして、制御部１１０は、ユーザーが第２の選択を行ったと判定した場合（ステップＳ２０５：Ｙｅｓ）、図６Ｂに示すように、動的部分２０の第１の方向の中央部分に移動したサムネイル画像６０ｄに相当するページ、およびその前後のサムネイル画像に相当するページ、本例ではサムネイル画像６０ｄの前のサムネイル画像に相当するページを、表示部１４０の第２の表示領域ＭＰに第１のメイン画像３１ｄおよび第２のメイン画像３２ｄを含むメイン画像３０として拡大表示する（ステップＳ２０６）。このように、第１のメイン画像３１ｄおよび第２のメイン画像３２ｄへの表示の更新を、サムネイル画像５５の選択よりも後刻の第２の選択によって実行することにより、ユーザーが違和感を生じることなく、画像の状態の切り替えを行うことができる。
【００６２】
そして、制御部１１０は、第２の選択のタイミングで、図６Ｂに示すように、移動したサムネイル画像６０ｄやサムネイル画像５５ｄを、見開き状態、もしくは互いの間隔を広げた状態で表示する（ステップＳ２０７）。なお、制御部１１０は、メイン画像３０の移動するタイミング、即ち第１のメイン画像３１ｄおよび第２のメイン画像３２ｄを表示するタイミングで、サムネイル画像６０ｄやサムネイル画像５５ｄを見開き状態、もしくは互いの間隔を広げた状態の表示に切り替えることもできる。このようなタイミングでサムネイル束５０ｄの画像の状態の更新を実行することにより、ユーザーが違和感を生じることなく画像の状態の切り替えを行うことができる。
【００６３】
以上のステップにより、表示方法２の一連の手順を終了する。このような表示方法２とすることにより、上述した表示方法１と同様な効果を奏することができるとともに、図６Ａに示すサムネイル束５０ｃを構成する複数のサムネイル画像５１，５２，５３，５４，５５，５７，６０などの内で、予め第２の方向に位置を移動してあるサムネイル画像６０を、例えば既読の画像に相当するマークとして用いることができ、次の画像の選択を行い易くすることができる。また、サムネイル束５０ｃの静的部分２１に位置するサムネイル画像５５を第２の画像として選択した場合であっても、選択位置近傍のサムネイル画像６０を、動的部分２０の第１の方向の中央部分に移動させるとともに、サムネイル画像５５を動的部分２０に移動することができる。これにより、サムネイル画像６０およびサムネイル画像５５の画像の中身の認知を行い易くすることができるとともに、画像の選択も行い易くすることができる。
【００６４】
なお、制御部１１０は、図６Ａに示すサムネイル束５０ｃの内の静的部分２１において、予め第２の方向、本例では上方向に位置を移動した画像である第１の画像としてのサムネイル画像６０をユーザーが選択した場合、サムネイル画像６０が元の位置に戻るとともに、図６Ｂに示すように、サムネイル画像６０に相当するメイン画像として、例えば第２のメイン画像３２ｄを、表示部１４０の第２の表示領域ＭＰに表示することとしてもよい。このようにすれば、予め第２の方向に位置を移動している第１の画像としてのサムネイル画像６０により、的確に選択を行うことができ、第２の表示領域ＭＰにサムネイル画像６０に相当する第２のメイン画像３２ｄを表示することができる。また、これに併せて、サムネイル画像６０が元の位置に戻ることから、サムネイル画像の位置の更新を、確実に行うことができる。
【００６５】
また、制御部１１０は、図６Ａに示すサムネイル束５０ｃの内の静的部分２１において、予め第２の方向、本例では上方向に位置を移動した画像である第１の画像としてのサムネイル画像６０を、ユーザーが、メイン画像３０を選択した場合に、元の位置に戻ることとしてもよい。即ち、サムネイル画像６０は、ユーザーが、メイン画像３０に含まれる第１のメイン画像３１ｄまたは第２のメイン画像３２ｄのいずれかを選択したタイミングで、サムネイル束５０ｄとして他のサムネイル画像の並ぶ位置まで戻る。このようにすれば、位置を移動したサムネイル画像の位置の更新を、確実に行うことができる。
【００６６】
なお、図６Ａに示す例では、予め第２の方向に表示位置を移動したサムネイル画像として、一つのサムネイル画像６０を例示して説明したが、予め第２の方向に表示位置を移動したサムネイル画像は一つに限らず、複数設けられていてもよい。
【００６７】
２．３．表示方法３
次に、図８を参照して表示装置１００における表示方法３に係る表示例３について説明する。図８は、サムネイル画像を含むサムネイル束とメインページの表示例３を示す図である。なお、表示例３の説明では、表示装置１００における構成部位に関して、上述と同符号を付して説明する。
【００６８】
表示装置１００における表示例３では、図８に示すように、第２の表示領域ＭＰに表示されている第１のメイン画像３１および第２のメイン画像３２を含むメイン画像３０に加えて、参照する他のサムネイル画像に相当する参照画像３３を、第２の表示領域ＭＰに表示する。本例では、上述の表示例と同様に、サムネイル画像５１ｅ，５２ｅ，５３ｅ，５４ｅ，５５ｅ，５６ｅ，５７ｅなどで構成されたサムネイル束５０ｅの内から、表示部１４０のタッチポイントＰ３にタッチするなどして、サムネイル画像６３を選択する。そして、選択されたサムネイル画像６３に相当する参照画像３３を、第２の表示領域ＭＰの空きスペースに表示する。本例の参照画像３３は、第１のメイン画像３１または第２のメイン画像３２よりも小さな面積で表示されているが、表示面積を規定するものではなく、必要な面積に表示することができる。
【００６９】
表示例３のように、第２の表示領域ＭＰにメイン画像３０と参照画像３３を表示することにより、それらの画像の中身の判読を、より的確に行うことができる。
【００７０】
２．４．表示方法４
次に、図９を参照して表示装置１００における表示方法４に係る表示例４について説明する。図９は、サムネイル画像を含むサムネイル束とメインページの表示例４を示す図である。なお、表示例４の説明においても、表示装置１００における構成部位に関しては、上述と同符号を付して説明する。
【００７１】
表示装置１００における表示例４では、図９に示すように、サムネイル束５０ｅの静的部分２１において、既読のページや参照ページなどのサムネイル画像に識別マーク６５を表示する。換言すれば、識別マーク６５の付けられたサムネイル画像は、ユーザーが参照すべき画像と判断した画像に相当するサムネイル束５０ｆを構成するサムネイル画像５６ｅ，５７ｅなどの内から選択されたサムネイル画像に付設された識別マーク６５は、図６Ａを参照して上述した表示例２において、予め第２の方向である上方向に位置を移動した画像である第１の画像としてのサムネイル画像６０に替えて用いるものである。
【００７２】
表示例４のように、サムネイル束５０ｆの内の静的部分２１において、参照画像に相当するサムネイル画像に識別マーク６５が付加表示されることにより、参照画像に相当する画像の位置に係る認知をより的確に行うことができる。
【００７３】
なお、上述の実施形態では、表示装置１００としてスマートフォンタイプの通信端末装置を例示して説明したがこれに限らない。他の表示装置としては、例えばタブレット端末、パーソナルコンピューターのディスプレイなどを適用することができる。また、表示装置として、例えば映像投射用のスクリーンなどを表示部として用い、スクリーンなどにサムネイル画像などの画像を含むサムネイル束などの画像束や他の画像を含み構成された画像を投影するプロジェクターを適用することができる。
【００７４】
以下に、上述した実施形態から導き出される内容を、各態様として記載する。
【００７５】
［態様１］本態様に係る表示方法は、表示画像を表示部に表示させる表示方法であって、前記表示部は、第１の表示領域、および第２の表示領域を備え、前記第１の表示領域には、複数の画像が第１の方向に並ぶ画像束を表示し、前記第１の表示領域に対して、前記第１の方向と交差する第２の方向に配置された前記第２の表示領域には、複数の前記画像の内から選択されたメイン画像を表示し、前記画像束の表示は、隣り合う前記画像と一部が重なって表示される状態で、前記画像が等間隔で並ぶ静的部分と、隣り合う前記画像同士の間隔が、前記静的部分における前記画像同士の間隔よりも広く配置される動的部分と、を有し、前記静的部分に位置する前記画像を選択すると、選択された前記画像が前記動的部分に移動する。
【００７６】
本態様の表示方法によれば、画像束の内で、静的部分に位置する画像をフォーカスしたい場合、その画像を選択すると、選択された画像が、静的部分における画像同士の間隔よりも広く配置される動的部分に移動する。これにより、選択された画像およびその近傍の画像の視覚範囲が広くなることから、画像の判読を行い易くなり、選択のための検索を行い易くすることができる。
また、第２の表示領域には、複数の画像の内から選択されたメイン画像を表示していることから、画像束の中身を認識し易くすることができる。
【００７７】
［態様２］上記態様に記載の表示方法において、複数の前記画像は、第１の仮想軸上に配置され、前記第１の仮想軸と交差するそれぞれの第２の仮想軸を中心にして回転し、さらに前記第１の仮想軸を中心にして回転して表示されることとしてもよい。
【００７８】
本態様によれば、第１の仮想軸上に配置され、且つ第１の仮想軸と交差するそれぞれの第２の仮想軸を中心に回転させ、さらに第１の仮想軸を中止に回転させた複数の画像を第１の方向に並べて配置した画像束が構成されることにより、複数の画像を含む画像束の中身を俯瞰することができる。
【００７９】
［態様３］上記態様に記載の表示方法において、前記動的部分に移動した前記画像は、見開き状態で表示することとしてもよい。
【００８０】
本態様によれば、見開き状態の二つの画像の表示により、フォーカスしたい画像の表示内容を、より判読し易くすることができる。
【００８１】
［態様４］上記態様に記載の表示方法において、第２の表示領域に表示されている前記メイン画像に相当する、前記画像束の内の前記画像は、見開き状態で表示することとしてもよい。
【００８２】
本態様によれば、第２の表示領域に表示されているメイン画像に相当する画像束の内の画像が、他の画像の状態と異なる見開き状態であることから、画像束の中でメイン画像に相当する画像近傍の他の画像の内容を認識し易くすることができる。
【００８３】
［態様５］上記態様に記載の表示方法において、前記動的部分は、前記画像の選択によって中央部が移動し、前記メイン画像、および前記見開き状態への移動は、前記画像の選択よりも後刻の第２の選択によって実行することとしてもよい。
【００８４】
本態様によれば、メイン画像および見開き状態への移動などの表示状態の更新を、画像の選択よりも後刻の第２の選択によって実行することにより、ユーザーが違和感を生じることなく、画像の状態の切り替えを行うことができる。
【００８５】
［態様６］上記態様に記載の表示方法において、前記画像束に含まれる複数の前記画像の内で、予め前記第２の方向に位置を移動した第１の画像を有し、前記静的部分に位置する前記画像の内で第２の画像を選択した場合、選択位置近傍の前記第１の画像を、前記動的部分の前記第１の方向の中央部分に移動させるとともに、前記第２の画像を前記動的部分に移動することとしてもよい。
【００８６】
本態様によれば、画像束を構成する複数の画像の内で、予め第２の方向に位置を移動した第１の画像を、例えば既読の画像に相当するマークとして用いることができ、次の選択がし易くなる。また、画像束の静的部分に位置する第２の画像を選択した場合、選択位置近傍の第１の画像を、動的部分の第１の方向の中央部分に移動させるとともに、第２の画像を動的部分に移動することにより、第１の画像および第２の画像の中身の判読を行い易くすることができるとともに、画像の選択も行い易くすることができる。
【００８７】
［態様７］上記態様に記載の表示方法において、前記画像束に含まれる複数の前記画像の内で、予め前記第２の方向に位置を移動した第１の画像を有し、前記第１の画像を選択した場合、前記第１の画像は、元の位置に戻るとともに、前記第１の画像に相当する前記メイン画像を、前記第２の表示領域に表示することとしてもよい。
【００８８】
本態様によれば、予め第２の方向に位置を移動している第１の画像により、的確に選択を行うことができ、第２の表示領域に第１の画像に相当するメイン画像を表示することができる。また、これに併せて、第１の画像が元の位置に戻ることから、画像位置の更新を、確実に行うことができる。
【００８９】
［態様８］上記態様に記載の表示方法において、前記画像束に含まれる複数の前記画像の内で、予め前記第２の方向に位置を移動した第１の画像を有し、前記メイン画像を選択した場合、前記第１の画像は、元の位置に戻ることとしてもよい。
【００９０】
本態様によれば、メイン画像の選択タイミングで第１の画像が元の位置に戻ることから、画像位置の更新を、確実に行うことができる。
【００９１】
［態様９］上記態様に記載の表示方法において、前記第２の表示領域に表示されている前記メイン画像に加えて、参照する他の画像を前記画像束の内から選択し、前記第２の表示領域に参照画像として表示することとしてもよい。
【００９２】
本態様によれば、第２の表示領域にメイン画像と参照画像を表示することにより、それらの画像の中身の判読を、より的確に行うことができる。
【００９３】
［態様１０］上記態様に記載の表示方法において、前記参照画像に相当する、前記画像束の内の前記画像には、識別マークを表示することとしてもよい。
【００９４】
本態様によれば、画像束の内の参照画像に相当する画像の位置に係る認知をより的確に行うことができる。
【００９５】
［態様１１］本態様に係る表示装置は、第１の表示領域、および第２の表示領域を有し、表示画像を表示する表示部と、第１の仮想軸上に配置され、前記第１の仮想軸と交差する第２の仮想軸を中心にして回転し、更に前記第１の仮想軸を中心に回転して表示される複数の画像を生成するサムネイル画像生成部と、隣り合う前記画像と一部が重なる状態で、前記画像が等間隔で並ぶ静的部分と、隣り合う前記画像同士の間隔が、前記静的部分における前記画像同士の間隔よりも広く配置される動的部分とを有し、前記画像を第１の方向に並べた画像束を生成する表示画像生成部と、前記第１の表示領域に、前記画像束を表示し、前記第１の表示領域に対して、前記第１の方向と交差する第２の方向に配置された前記第２の表示領域に、複数の前記画像の内から選択されたメイン画像を表示し、前記静的部分に位置する前記画像が選択された場合、選択された前記画像を前記動的部分に移動して表示する制御部と、を備えている。
【００９６】
本態様の表示装置によれば、表示部に表示されている画像束の内で、静的部分に位置する画像をフォーカスしたい場合にユーザーがその画像を選択すると、制御部によって選択された画像が、静的部分における画像同士の間隔よりも広く配置される動的部分に移動される。この移動により、選択された画像およびその近傍の画像の視覚範囲が広くなることから、ユーザーは、画像の判読を行い易くなり、選択のための検索を行い易くすることができる。
また、表示部の第２の表示領域に、複数の画像の内から選択されたメイン画像が表示されていることから、ユーザーは、画像束の中身を認識し易くすることができる。
【符号の説明】
【００９７】
２０…動的部分、２１…静的部分、３０…メイン画像、３１，３１ｂ…第１のメイン画像、３２，３２ｂ…第２のメイン画像、５０，５０ｂ…画像束としてのサムネイル束、５１，５１ｂ，５２，５２ｂ，５３，５３ｂ，５４，５４ｂ，５５，５５ｂ，５６，５６ｂ，５７，５７ｂ…画像としてのサムネイル画像、１００…表示装置、１１０…制御部、１２０…サムネイル画像生成部、１３０…表示画像生成部、１４０…表示部、１５０…操作部、１６０…記憶部、Ｑ…第１の仮想軸、Ｍ…第２の仮想軸、θ…回転角、Ｎ…仮想水平面、ＳＰ…第１の表示領域、ＭＰ…第２の表示領域、Ｐ…タッチポイント。
【図１】
2020067928.tif 000003
【図２】
2020067928.tif 000004
【図３Ａ】
2020067928.tif 000005
【図３Ｂ】
2020067928.tif 000006
【図３Ｃ】
2020067928.tif 000007
【図３Ｄ】
2020067928.tif 000008
【図４】
2020067928.tif 000009
【図５Ａ】
2020067928.tif 000010
【図５Ｂ】
2020067928.tif 000011
【図５Ｃ】
2020067928.tif 000012
【図５Ｄ】
2020067928.tif 000013
【図５Ｅ】
2020067928.tif 000014
【図６Ａ】
2020067928.tif 000015
【図６Ｂ】
2020067928.tif 000016
【図７】
2020067928.tif 000017
【図８】
2020067928.tif 000018
【図９】
2020067928.tif 000019